(57)【要約】従来の電子回路において、信号処理のために、供給電圧が必要とされる。供給電圧は、ロジック回路構成要素に提供する。特に、長い期間、および／または、遠隔サイトの使用において動作する必要があり、供給電圧に依存する装置は、依存に関連する不利点を減少させる。本発明は、少なくとも１つの情報信号を入力する入力部（５）と、少なくとも１つの情報信号にあるエネルギーを供給電圧に変換するエネルギー手段（２）と、情報信号が入力される場合、少なくとも１つのスイッチオン制御信号を生成する制御手段（３）と、少なくとも１つの情報信号によって表される情報を格納し、かつ／または、その少なくとも１つのスイッチオン制御信号によって表される情報を評価し、その評価によって得られる２次情報を格納するための信号処理手段（４）とが設けられる信号回路に関する。【選択図】図１
2004501519.tif 000002
【特許請求の範囲】
【請求項１】
電子回路（１）であって、
少なくとも１つの情報信号を入力するための入力部（５）と、
該少なくとも１つの情報信号に含まれるエネルギーを供給電圧に変換するためのエネルギー手段（２）と、
情報信号が到達した場合に、少なくとも１つのスイッチオン制御信号を生成するための制御手段（３）と、
少なくとも１つの強誘電体フリップフロップによって、該少なくとも１つの情報信号によって表される情報アイテムを格納し、かつ／または、少なくとも１つの強誘電体フリップフロップ（２６）によって、該少なくとも１つの情報信号によって表される情報を評価し、該評価を介して得られた２次情報を格納するための信号処理手段（４）と
を備え、
該信号処理手段（４）は、評価および／または格納のために、該少なくとも１つのスイッチオン制御信号によって活性化され得、
該評価および／または格納の間、該少なくとも１つの情報信号は、該電子回路（１）に対するエネルギー源であり得るか、または、該電子回路（１）の唯一のエネルギー源である、電子回路（１）。
【請求項２】
前記少なくとも１つの情報信号が到達した後に所定の時間が経過した後、および／または、該少なくとも１つの情報信号から変換されたエネルギーを使い果たした場合、制御手段（３）は少なくとも１つのスイッチオフ制御信号を生成し得、
前記信号処理手段（４）は、該少なくとも１つのスイッチオフ制御信号によって、格納を行ない得るか、または、格納を行ない、非活性化し得ることを特徴とする、請求項１に記載の電子回路。
【請求項３】
前記少なくとも１つの強誘電体フリップフロップ（２６）に格納された情報は、前記信号処理手段（４）によって、少なくとも１つの出力信号に変換され得、前記電子回路（１）は、該少なくとも１つの出力信号を出力するための少なくとも１つの出力部（６）をさらに備えることを特徴とする、請求項１または２に記載の電子回路（１）。
【請求項４】
前記電子回路は、前記少なくとも１つの強誘電体フリップフロップ（２６）に格納された情報を表示するための表示手段（１０）をさらに備えることを特徴とする、請求項１から３のいずれかに記載の電子回路（１）。
【請求項５】
前記表示手段（１０）は、前記エネルギー手段（２）によって生成された供給電圧を同時に供給されることを特徴とする、請求項４に記載の電子回路（１）。
【請求項６】
前記表示手段（１０）は、ＬＣＤディスプレイ（１１）を有することを特徴とする、請求項４または５に記載の電子回路（１）。
【請求項７】
前記信号処理手段（４）によって、前記少なくとも１つの強誘電体フリップフロップ（２６）に格納された情報を出力するために、外部供給電圧および外部制御手段が接続され得ることを特徴とする、請求項３から６のいずれかに記載の電子回路（１）。
【請求項８】
前記少なくとも１つのスイッチオン制御信号は、
前記少なくとも１つの強誘電体フリップフロップ（２６）のプリチャージトランジスタ（１８、１９）を活性化するための活性化信号（ＰＲＥＣＨ）と、
該少なくとも１つの強誘電体フリップフロップ（２６）の強誘電体キャパシタ（１４、１５）に含まれる情報を、該少なくとも１つの強誘電体フリップフロップ（２６）の内部データ線（２２、２３）に転送するための転送信号（ＰＬＮ）と、
前記信号処理手段（４）の供給電圧をスイッチオンにするための電流スイッチ信号（ＮＳＥＴ）と
を有することを特徴とする、請求項１から７のいずれかに記載の電子回路（１）。
【請求項９】
前記少なくとも１つのスイッチオフ制御信号は、
転送終了信号（ＰＬＮ）と、
前記少なくとも１つの強誘電体フリップフロップ（２６）のプリチャージトランジスタ（１８、１９）を活性化するための活性化信号（ＰＲＥＣＨ）と、
前記信号処理手段（４）の供給電圧をスイッチオフにするための電流スイッチオフ信号（ＮＳＥＴ）と
を有することを特徴とする、請求項２から８のいずれかに記載の電子回路（１）。
【請求項１０】
前記制御手段（３）から前記信号処理手段（４）に通じる前記スイッチオン信号の各々のための信号線（８）を特徴とする、請求項８または９に記載の電子回路（１）。
【請求項１１】
前記制御手段（３）から前記信号処理手段（４）に通じる前記スイッチオフ信号の各々のための信号線（８）を特徴とする、請求項９または１０に記載の電子回路（１）。
【請求項１２】
前記転送信号および前記転送終了信号に対して、共通転送信号線は前記制御手段（３）から前記信号処理手段（４）に通じ、該転送信号は、該共通転送信号線に電圧を印加し、該転送終了信号は、該共通転送信号線の電圧を切断することを特徴とする、請求項１１に記載の電子回路（１）。
【請求項１３】
前記電流スイッチ信号および前記電流スイッチオフ信号に対して、共通電流信号線は前記制御手段（３）から前記信号処理手段（４）に通じ、該電流スイッチ信号は、該共通電流信号線に電圧を印加し、該電流スイッチオフ信号は、該共通電流信号線の電圧を切断することを特徴とする、請求項１１または１２に記載の電子回路（１）。
【請求項１４】
前記信号処理回路（４）は、連続的に、または、同時に到達する複数の情報信号を、到達する情報信号をカウントすることにより、評価するためのカウント回路であることを特徴とする、請求項１から１３のいずれかに記載の電子回路（１）。
【請求項１５】
前記カウント回路は、複数のカスケードエッジ制御強誘電体フリップフロップ（３４）を含み、前記少なくとも１つの情報信号は、該複数のカスケード強誘電体フリップフロップ（３４）の第１の強誘電体フリップフロップ（３４）のクロック入力（ＣＬＫ）に入力され、最後を除いた強誘電体フリップフロップ（３４）の各々の出力（Ｑ）は、また、各々の場合において、ダウンストリームで接続される強誘電体フリップフロップ（３４）の該クロック入力（ＣＬＫ）に接続されていることを特徴とする、請求項１４に記載の電子回路（１）。
【請求項１６】
少なくとも１つの情報信号によって表される情報、または、信号処理手段（４）の少なくとも１つの強誘電体フリップフロップ（２６）の少なくとも１つの情報信号の評価を介して得られる情報を格納するための方法であって、
Ａ：到達される情報信号から少なくとも１つのスイッチオン制御信号を生成し、該少なくとも１つの情報信号に含まれるエネルギーから供給電圧を生成するステップと、
Ｂ：該スイッチオン制御信号によって該信号処理手段（４）を活性化し、該信号処理手段（４）に供給電圧を印加するステップと、
Ｃ：該少なくとも１つの情報信号によって表される情報アイテムを格納し、かつ／または、少なくとも１つの強誘電体フリップフロップ（２６）によって、該少なくとも１つの情報信号によって表される情報アイテムを評価し、該評価を介して得られた２次情報を格納するステップと、
Ｄ：該少なくとも１つの情報信号が到達した後に所定の時間が経過した後、および／または、該少なくとも１つの情報信号から変換されたエネルギーを使い果たした場合、スイッチオフ制御信号を生成するステップと、
Ｅ：該スイッチオフ制御信号によって該信号処理手段（４）を非活性化するステップと
を包含する、方法。
【請求項１７】
ステップＢは、
Ｂ１：電圧を印加することにより、前記少なくとも１つの強誘電体フリップフロップ（２６）のプリチャージトランジスタ（１８、１９）を活性化するステップと、
Ｂ２：前記電圧を切断することにより、該少なくとも１つの強誘電体フリップフロップ（２６）のプリチャージトランジスタ（１８、１９）を非活性化するステップと、
Ｂ３：該少なくとも１つの強誘電体フリップフロップ（２６）の強誘電体キャパシタ（１４、１５）に電圧を印加して、該強誘電体キャパシタ（１４、１５）に格納される情報を、該少なくとも１つの強誘電体フリップフロップ（２６）の論理ゲート（１２、１３、２４、２５）に転送するステップと、
Ｂ４：該少なくとも１つの強誘電体フリップフロップ（２６）の論理ゲート（１２、１３、２４、２５）の供給電圧を活性化するステップと
を包含することを特徴とする、請求項１６に記載の方法。
【請求項１８】
ステップＥは、
Ｅ１：前記少なくとも１つの強誘電体フリップフロップ（２６）の強誘電体キャパシタ（１４、１５）にわたって存在する電圧を切断するステップと、
Ｅ２：該少なくとも１つの強誘電体フリップフロップ（２６）の論理ゲート（１２、１３、２４、２５）の供給電圧を非活性化するステップと、
Ｅ３：電圧を印加することにより、該少なくとも１つの強誘電体フリップフロップ（２６）のプリチャージトランジスタ（１８、１９）を活性化するステップと、
Ｅ４：該電圧を切断することによって、該少なくとも１つの強誘電体フリップフロップ（２６）の該プリチャージトランジスタ（１８、１９）を非活性化するステップと
を包含することを特徴とする、請求項１６または１７に記載の方法。
【請求項１９】
前記電子回路（１）は、複数の強誘電体フリップフロップ（２６）を含み、前記評価は、前記情報信号によって表される値と前記強誘電体フリップフロップ（２６）にすでに格納されている値との合計を含むことを特徴とする、請求項１６から１８のいずれかに記載の方法。
【請求項２０】
前記合計は、前記複数の強誘電体フリップフロップ（２６）がカウンタ構成にカスケードされるカウント動作によって行なわれ、到達情報信号は、値１による該カウンタ構成のカウンタ読み出しをインクリメントまたはデクリメントすることを特徴とする、請求項１９に記載の方法。
【請求項２１】
前記少なくとも１つの強誘電体フリップフロップ（２６）に格納される情報が、少なくとも１つの出力信号に変換され得、前記電子回路（１）から出力され得ることを特徴とする、請求項１６から２０のいずれかに記載の方法。
【請求項２２】
電子回路に対する強誘電体フリップフロップ（２６）の使用であって、電子回路（１）は、情報信号を検出し、かつ／または、その検出の結果を評価し、かつ／または、評価は少なくとも１つの強誘電体フリップフロップ（２６）に格納され得、該検出、処理および格納に対して必要とされる全体のエネルギーは、該情報信号から生成され得ることを特徴とする、使用。
【請求項２３】
前記評価は、到達情報信号をカウントすることを含むことを特徴とする、請求項２２に記載の使用。
【請求項２４】
前記電子回路（１）は、到達情報信号をカウントアップまたはカウントダウンし得ることを特徴とする、請求項２３に記載の使用。
【請求項２５】
前記電子回路（１）は液体カウンタにおいて使用されることを特徴とする、請求項２２または２３に記載の使用。
【請求項２６】
システムを介する液体の流量を決定する液体カウンタであって、
該システムを介する液体の量に応じて、情報信号を生成し得るか、または、情報信号を生成するセンサと、
該センサによって生成された該情報信号をカウントするための請求項１〜１４のいずれかに記載の電子回路（１）と
を備え、
該情報信号は、該電子回路（１）に対する唯一のエネルギー源である、液体カウンタ。
【発明の詳細な説明】
【０００１】
本発明は、到来信号を唯一のエネルギー源として用いることが可能な、強誘電性フリップフロップを備える電子回路と、このような電子回路を用いた液体カウンタ（Ｆｌｕｓｓｉｇ−ｋｅｉｔｓｚａｈｌｅｒ）と、信号中に含まれる情報を格納する方法とに関する。本発明は、電子回路のための強誘電性フリップフロップの使用にも関する。
【０００２】
信号処理（例えば、パルスのカウント）のための従来の電子回路では、論理モジュールを供給する供給電圧が必要となる。この供給電圧は、例えば電池（例えば、リチウム電池）によって供給される。従来の電子回路を用いた装置の場合、電池は、回路の製造コストおよび動作コストをかなり上昇させ、その上、定期的な交換を必要とする。動作電圧が不足した場合においても信号の評価結果が格納されたままのときは、不揮発性メモリ（例えば、ＥＥＰＲＯＭまたはＦＬＡＳＨ−ＥＰＲＯＭ）がさらに必要になる。このような電子的に消去可能なメモリセルは、プログラミングおよび消去を行う際、−１２ボルトおよび＋１６ボルトの高い電圧をそれぞれ必要とし、これらの電圧は、チャージポンプによる電池電圧から生成されなければならない。高電圧の生成において効率が比較的悪くなると、電力の大量損失に繋がる。その上、ＥＥＰＲＯＭメモリの寿命は、再プログラミング処理の回数によって限定される。これは不利であり、特に、カウント回路の場合、各カウントパルスが到来するたびにいわゆる「最下位ビット」（すなわち、カウンタの最下位または最小位置にあるビット）を再プログラミングしなければならず、不利さが増す。
【０００３】
特に、比較的長時間にわたって動作するように意図されている装置および／または遠隔地の使用場所において動作するように意図されている装置の場合、供給電圧に依存するため、その分メンテナンス費用が顕著に増加する。なぜならば、特に電池の交換または電池の監視を行う目的のために、メンテナンス担当者を当該装置まで行かせなければならなくなるからである。
【０００４】
同様に、電力供給システムから生成された供給電圧の使用も、費用の高額化に繋がり、遠隔地の場合、場合によっては供給電圧の使用が全く実施不可能となる場合もある。その上、システムに故障が生じた場合、カウント結果が不正確にもなり得る。
【０００５】
しかし、上記の不利点のために、上記の様々な電圧供給からできるだけ独立して動作することが可能な回路を実現することが必要となっている。
【０００６】
その結果、本発明は、外部の電力供給から自律して動作することが可能な、信号処理および／または情報格納を行う回路を提供するという目的に基づく。
【０００７】
本発明は、独立特許請求項１に記載の電子回路と、独立特許請求項１６に記載の情報格納方法と、独立特許請求項２２に記載の電子回路のための強誘電性フリップフロップの使用と、独立特許請求項２６に記載の液体カウンタとを提供することにより、この目的を達成する。本発明のさらなる有利な構成、詳細および供給は、従属特許請求項、本明細書の記載および添付の図面から得られる。
【０００８】
信号処理回路と、信号処理回路に割り当てられた信号生成センサとの解析において、信号に固有のエネルギーはＥＥＰＲＯＭメモリの動作を可能にするには充分でないものの、このエネルギーはそれでも、典型的なパルスワイヤセンサの場合においてゆうに３０ｎＪはあることが分かっている。特殊なフリップフロップに強誘電性格納キャパシタンスがインプリメントされている場合（すなわち、いわゆる強誘電性フリップフロップ）が用いられている場合、この数量のエネルギーは、回路を動作させるのに意外にも充分であることが分かっている。
【０００９】
従って、本発明は、少なくとも１つの情報信号を入力する入力部と、上記少なくとも１つの情報信号に含まれるエネルギーを電圧供給に変換するエネルギー手段と、情報信号が到来したときに少なくとも１つのスイッチオン制御信号を生成する制御手段と、上記少なくとも１つの情報信号によって表される情報アイテムの格納および／または上記少なくとも１つの情報信号によって表される情報アイテムの評価を行い、少なくとも１つの強誘電性フリップフロップを用いた評価を通じて得られた第２の情報を格納する信号処理手段と、を有する電子回路に関する。上記信号処理手段は、評価および／または格納を行う目的のために、上記少なくとも１つのスイッチオン制御信号によって活性化され得る。上記評価および／または格納の間、上記少なくとも１つの情報信号は、上記電子回路の唯一のエネルギー源となり得るかまたは実際にそうなる。
【００１０】
従って、本発明による電子回路は、外部からの電圧供給を備えることが可能である。しかし、重要なのは、本発明による電子回路は、情報信号の取得動作の際に外部からの電圧供給に依存しない点である。本発明の電子回路は、電力故障が発生しても、自身の機能を継続的に実行することができる。従って、電力供給に関しては、本電子回路を、フェイルセーフ回路として理解することが可能である。しかし、本発明の特定の実施形態および特に好適な実施形態において、外部の電力供給格納情報の読出し用に接続されていない限り、外部の電力供給は実際には本電子回路に設けられない。
【００１１】
以下、本発明によって用いられる強誘電性フリップフロップについて詳細に説明する。原則としては、本強誘電性フリップフロップは、従来のフリップフロップの構造（すなわち、特に、ＳＥＴおよびＲＥＳＥＴ入力と、またＱＢおよびＱ出力と、回路論理用のＮＡＮＤゲートもしくはＮＯＲゲートを有するフリップフロップ）と同じ構造を有する。しかし、本強誘電性フリップフロップは、強誘電性キャパシタをさらに有する。これらの強誘電性キャパシタにより、電圧供給が切断されたときに強誘電性フリップフロップがフリップフロップの論理状態を格納し、電圧供給がオンに切り換えられたときに格納された状態を再確立することが可能になる。強誘電性フリップフロップの状態の格納または再確立が行なわれる際、制御信号は、時間的に正確に規定されたシーケンス（下を参照）の状態にされる。強誘電性キャパシタを用いた不揮発性メモリは、低電圧で動作することが可能であり、ＥＥＰＲＯＭメモリのエネルギーの約１／１００しか必要としない。従って、本発明による電子回路の場合、通常の回路を動作させるのに必要なエネルギー（１０ｎＪ〜１００ｎＪ）を、到来パルス（単数または複数）のみから得ることが可能である
従って、本発明によれば、制御手段は、１つ以上の制御信号を時間的に制御されたシーケンスとして生成し、これらの制御信号を信号処理手段に送ることができなければならない。この目的は、当業者に公知の回路および方法をそれぞれ用いて、簡単な方法で達成することが可能である。例示目的のため、時間的に差が設けられた異なる信号を、コンパレータ回路を備えるバンドギャップ差回路を用いて達成することが可能である。
【００１２】
本発明の趣旨において、評価という用語は、信号処理手段から到来する情報信号の任意の解釈（例えば、先行する情報信号に対する時間間隔の確認、ＡＮＤ、ＯＲ、ＮＡＮＤ、およびＮＯＲの異なる情報信号を介した論理的組み合わせの確認、連続して到来する情報信号のカウントアップおよびカウントダウンの確認、情報信号の連続的到来に対するオンとオフとの間のトグルの確認、到来情報信号の他の任意の考えられ得る解釈）として理解することが可能である。本発明の趣旨において、情報アイテムの表現物は、その特定のインスタンスおよびその他の情報信号との関係において時間的に進行する情報信号の入力に起因し得る任意の意味として理解される。
【００１３】
到来する情報信号は、例えば、通常のセンサによって生成され得る。これらの信号は好適には、適切な電圧と充分なエネルギー内容とを備える信号を生成して、本発明による回路を動作可能にするセンサである。例示目的のため、誘電性センサまたは圧電性センサが用いられ得る。１つの可能なセンサとしては、外部の磁界（例えば、磁石付きのロータからの磁界）を、複合ワイヤ上に作用させ、内部に電気パルスを生成するパルスワイヤセンサがある。この電気パルスはその後、情報信号として利用可能となる。この場合において、磁界から引き出すことが必要なエネルギー全体（ゆえに外部からのエネルギー供給）も、センサには不要である。
【００１４】
本発明による電子回路の特徴は好適には、少なくとも１つの情報信号が到来した後に所定の時間が経過した後および／または少なくとも１つの情報信号から変換されたエネルギーが消尽した場合、制御手段が少なくとも１つのスイッチオフ制御信号を生成することができる点である。その場合、信号処理手段に格納を実行させることおよび信号処理手段に少なくとも１つのスイッチオフ制御信号を用いて不活性化を実行させることを行なわせることができるか、または実際にそうさせる。
【００１５】
スイッチオフ制御信号が生成されるのは、情報信号が到来した後に、それ以上情報信号が到来しない場合のみにおいて時間が経過した場合である点が理解される。従って、複数の情報信号が連続して到来した場合、所定の時間の経過は、最終情報信号が入力されてからの経過時間と常に関係する。既存のエネルギーが消尽したときにスイッチオフ制御信号が生成された場合、上記エネルギーの消尽を信頼性を以って確認することが可能な回路を制御手段中に設ける必要が出てくる。例示目的のため、電圧降下の可能性を検出することのできる回路を用いることが可能である。
【００１６】
好適には、少なくとも１つの強誘電性フリップフロップ中に格納された情報は、信号処理手段によって少なくとも１つの出力信号に変換することが可能であり、その場合、電子回路は、少なくとも１つの出力信号を出力する少なくとも１つの出力をさらに有する。このようにして、回路中に格納された情報を適切な読出し手段を用いて再度読み出すことが可能となる。
【００１７】
本電子回路は、少なくとも１つの強誘電性フリップフロップ中に格納された情報を表示する表示手段をさらに有し得る。このようなさらなる表示手段は、本電子回路を動作させるためのエネルギーが情報信号から充分に得られる場合に可能である。表示手段を用いると、少なくとも１つのフリップフロップ中に格納された情報をいつでも読み出すことが可能となる。
【００１８】
好適には、表示手段は、エネルギー手段によって生成された電圧供給によって同時に供給される。しかし、表示手段に外部の電圧供給を要求させるように表示手段を構成することも可能である。この場合、電子回路が自律的に動作するために、表示手段による読出しを行う前に、先ず外部の電圧供給を接続する必要がある。電子回路が外部の電圧供給を何らかの様式で有する場合（例えば、上述した分野のフェイルセーフ回路を使用する場合）、このような外部からの接続は概して不要となる。
【００１９】
表示手段のエネルギー消費をできるだけ低く抑えるためには、好適には、ＬＣＤ表示を用いて情報を表示するとよい。しかし、エネルギー消費が充分に低いものであれば、他の表示を用いることも可能である。強誘電性フリップフロップの強誘電性キャパシタ中に含まれる情報の強誘電性フリップフロップの論理ゲートへの転送を確実に調和した状態で行うために、スイッチオン制御信号は好適には、以下の信号を有する。
【００２０】
少なくとも１つの強誘電性フリップフロップのチャージ前のトランジスタを活性化する活性化信号と、少なくとも１つの強誘電性フリップフロップの強誘電性キャパシタ中に含まれる情報を少なくとも１つの強誘電性フリップフロップの内部データライン上に転送する転送信号と、信号処理手段の電圧供給に切り換えるための電流切換え信号。
【００２１】
電圧降下が発生した場合に少なくとも１つの強誘電性フリップフロップ中に含まれる情報を再度確実に書き込むために、スイッチオフ制御信号は好適には、以下の信号を有する。
転送終了信号と、
少なくとも１つの強誘電性フリップフロップのチャージ前のトランジスタを活性化させる活性化信号と、
信号処理手段の電圧供給をオフに切り換える電流スイッチオフ信号。
【００２２】
これらの異なる信号は、制御手段から信号処理手段に転送される。この転送は好適には、スイッチオン信号およびスイッチオフ信号のそれぞれに対する信号ラインが制御手段から信号処理手段に通じているという事実を用いて行なわれる。その上、例示目的のために、転送信号および転送終了信号のために、共通転送信号ラインを制御手段から信号処理手段に通すことができ、この場合、転送信号は、該共通転送信号ラインに電圧が印加された場合に成立することができ、転送終了信号は、共通転送信号ライン上への電圧が切断された場合に成立することができる。
【００２３】
同様に、電流切換え信号および電流スイッチオフ信号のために、共通電流信号ラインを制御手段から信号処理手段に通すことができ、その場合、電流切換え信号は、共通電流信号ラインに電圧が印加された場合に成立することができ、電流スイッチオフ信号は、共通電流信号ライン上への電圧が切断された場合に成立することができる。
【００２４】
フリップフロップを用いたカウント回路を実現するのは概して非常に容易であるため、本発明の好適な実施形態において、信号処理回路をカウント回路にする。このカウント回路は、到来した情報信号をカウントすることにより、連続的にまたは同時に到来する複数の情報信号を評価する。従って、この場合、１つ以上の情報信号ラインを同時に機能させることが可能である（ただし、当該回路がそのような機能を行うことが可能な場合）。次いで、入力信号バスが用いられる。
【００２５】
カウント回路は、例えば、複数のカスケード型のエッジ制御型の強誘電性フリップフロップを含む。これらの強誘電性フリップフロップにおいて、少なくとも１つの情報信号が、複数のカスケード型の強誘電性フリップフロップの第１の強誘電性フリップフロップのクロック入力に入力され、強誘電性フリップフロップの出力もやはり、それぞれ、最終出力を除いて、強誘電性フリップフロップ接続された下流のクロック入力に接続され得る。
【００２６】
この場合に必要となるのは、通常のカウンタ回路構成のフリップフロップであるが、その場合、従来用いられたフリップフロップの代わりに強誘電性フリップフロップを用いる。
【００２７】
本発明は、情報信号中に含まれる情報を格納する方法にも関する。本方法の利点、効果および作用に関しては、本明細書中、上記の記載の全体を参考のため援用する。
【００２８】
本発明は、少なくとも１つの情報信号によって表される情報または信号処理手段中の少なくとも１つの強誘電性フリップフロップ中の少なくとも１つの情報信号の評価を通じて得られた情報を格納する方法にも関する。上記方法は、以下のステップを有する。
Ａ：到来した情報信号から少なくとも１つのスイッチオン制御信号を生成し、上記少なくとも１つの情報信号中に含まれるエネルギーから電圧供給を生成するステップと、
Ｂ：上記スイッチオン制御信号によって上記信号処理手段を活性化させ、上記電圧供給を上記信号処理手段に印加するステップと、
Ｃ：上記少なくとも１つの情報信号によって表される情報アイテムの格納および／または上記少なくとも１つの情報信号によって表される情報アイテムの評価を行い、少なくとも１つの強誘電性フリップフロップを用いて、上記評価を通じて得られた第２の情報を格納するステップと、
Ｄ：上記少なくとも１つの情報信号が到来した後および／または上記少なくとも１つの情報信号から変換されたエネルギーが消尽した場合、所定の時間が経過した後にスイッチオフ制御信号を生成するステップ、
Ｅ：上記スイッチオフ制御信号を用いて、上記信号処理手段を不活性化させるステップ。
【００２９】
従って、本発明による方法の場合においても、スイッチオフ制御信号が生成される瞬間を判定する方法として、２つの可能性が利用可能である。すなわち、一方では、情報信号が到来してから経過した時間を簡単に再度測定し、他方では、未だ利用可能でありかつ情報信号から得られたエネルギーを測定する。この継続時間は、例えば電圧降下を用いることにより、判定可能である。この場合においても、複数の情報信号が連続的に到来する場合、この方法において、さらなる情報信号の到来から独立して（すなわち、スイッチオフによって支配された方法で）結果を得ると、これらの情報信号を検出することが不可能となるため、このような方法を行なわないようにすることが望ましいことが理解される。それよりも、このような場合にも注意を払って、最終の情報信号が到来してから経過した時間を各々の場合において測定し、新規の情報信号が到来した場合は時間測定を新たに開始することを確実にするべきである。
【００３０】
この場合、本発明による方法の趣旨において、信号処理手段の不活性化は、（電圧供給の最終切断時に信頼性を以って格納された内容を制御された様式で得るために）強誘電性フリップフロップ中に含まれる切換え論理状態を、強誘電性キャパシタに再度書き込むことを意味することが、理解される。
【００３１】
本発明による方法のステップＢは好適に、下記のステップを有し得る。
Ｂ１：電圧を印加することにより、少なくとも１つの強誘電性フリップフロップのプリチャージトランジスタを活性化させるステップと、
Ｂ２：電圧を切断することにより、少なくとも１つの強誘電性フリップフロップのプリチャージトランジスタを非活性化させるステップと、
Ｂ３：強誘電性コンデンサ内に格納されている情報を少なくとも１つの強誘電性フリップフロップの論理ゲートに転送するために、少なくとも１つの強誘電性フリップフロップの強誘電性コンデンサに電圧を印加するステップと、
Ｂ４：少なくとも１つの強誘電性フリップフロップの論理ゲートの電圧供給を活性化させるステップ。
【００３２】
電圧変化に基づく信号のシーケンスによって、前もってすでに格納されている情報の、強誘電性フリップフロップの論理ゲートへの高信頼転送が達成される。
【００３３】
信号処理手段の切断に関して、ステップの特定の順序が好適に固守される場合もある。従って、ステップＥは好適に、下記のステップを有し得る。
Ｅ１：少なくとも１つの強誘電性フリップフロップの強誘電性コンデンサの全体にわたって存在する電圧を切断するステップと、
Ｅ２：少なくとも１つの強誘電性フリップフロップの論理ゲートの電圧供給を非活性化させるステップと、
Ｅ３：電圧を印加することにより、少なくとも１つの強誘電性フリップフロップのプリチャージトランジスタを活性化させるステップと、
Ｅ４：電圧を切断することにより、少なくとも１つの強誘電性フリップフロップのプリチャージトランジスタを非活性化させるステップ。
【００３４】
これらのステップのおかげで、逆のプロセスが実行され、ここで、論理ゲートに存在するレベルは、格納されるべき情報として強誘電性コンデンサに書き込み返される。
【００３５】
好適には、電子回路は、複数の強誘電性フリップフロップを含み、ここで、ステップＣにおける評価は、情報信号によって表示される値と、強誘電性フリップフロップ内にすでに格納されている値との合計を含む。
【００３６】
好適には、この合計は、計算操作によってもたらされ、ここで、複数の強誘電性フリップフロップがカウンタ構成内にカスケードされ、到来する情報信号は、カウンタ構成のカウンタ読み取り値を１の値だけインクリメントまたはデクリメントする。
【００３７】
このように１の値だけインクリメントまたはデクリメントすることは、もちろん、情報信号の入力が１つだけの場合にのみ適切である。異なる入力を介して複数の情報信号が、同時にまたは連続的に到来することが可能である場合、値は、それに応じてインクリメントまたはデクリメントされる必要がある。
【００３８】
例として、少なくとも１つの強誘電性フリップフロップに格納されている情報は、少なくとも１つの出力信号に変換され、電子回路から出力され得る。この別の方法のステップは、情報信号から得られた情報もまた、実際にユーザにとって利用可能になり得ることを保証する。
【００３９】
本発明は同様に、強誘電性フリップフロップの使用を目的としている。この様な使用の効果、利点、および動作に関して、本明細書中、上記の全体を参考として援用する。
【００４０】
本発明は、従って、電子回路のための強誘電性フリップフロップの使用を目的としており、ここで、電子回路は、情報信号の検出および／または評価を行い得、検出および／または評価の結果は、少なくとも１つの強誘電性フリップフロップに格納され得、この使用は、検出、処理、および格納に必要な全エネルギーが情報信号から生成され得ることを特徴とする。
【００４１】
この場合、評価は、到来する情報信号を計算することを含み得る。この場合、電子回路は、到来する情報信号のカウントアップまたはカウントダウンを行い得る。
【００４２】
液体カウンタにおいて電子回路が使用されることを特徴とする使用には、特定の好みが付属する。本発明において、液体カウンタは、パイプまたはチャネルなどの断面を通る液体の流れを測定し、開始の瞬間から断面を通って流れた液体の量の合計を計算することが可能なデバイスであると理解されている。液体カウンタはしばしば、外部からの電源を得ることも出来ずに、長時間、装置の側に残らなければならない。従って、これは、本発明の特に興味深いアプリケーションの例である。なぜならば、以前の電子液体カウンタは、バッテリの交換を必要とするからである。
【００４３】
従って、本発明は最終的に、システムを通る液体の流れを測定するための液体カウンタも目的としている。液体カウンタは、システムを通って流れる液体の量に基づいて情報信号を生成し得るかまたは生成するセンサ、および、本発明よって製造され且つセンサによって生成される情報信号を計算する役割を果たす電子回路を有し、ここで、情報信号は、電子回路の唯一のエネルギー源である。
【００４４】
本発明は、一般例示的な実施形態を用いて以下で説明され、下記が示されている添付の図面を参照して詳細に示される。
【００４５】
図１は、本発明による電子回路の可能な実施形態の模式図を示す。電子回路１はまず第１に、入力５を有し、それを介して、情報信号が信号線によって電子回路１内を通過し得る。情報信号は、信号ディストリビュータ７上の様々な機能ユニットに入力される。電子回路１の要件によって、複数の異なる電圧の場合でさえも、エネルギー手段２が情報信号を受信して、情報信号から電圧供給を生成することが可能になる。
【００４６】
制御手段３も同様に情報信号を受信して、制御信号（複数）、または一時的に制御されたシーケンスの中の少なくとも１つの制御信号を生成することが可能な立場になる。
【００４７】
使用される回路レイアウトの種類、および使用される構成要素によってだけでなく、同様に情報信号に到来する電圧によって、電圧供給に使用される電圧、および様々な制御信号は、必要な大きさにされる。後者は典型的に、センサによって生成される電圧、または情報信号を生成する同様の何かによって決定される。
【００４８】
エネルギー手段２および制御手段３は、図１の例図において、別々のユニットとして示されるが、両方の手段を組み合わせて、機能的および有効的なユニットを形成することが同様に可能である。実際、簡易化およびコスト節約のために、電圧供給の生成および適切な制御信号の生成の両方を行うことが可能な、単なる単一の回路がしばしば使用される。
【００４９】
エネルギー手段２によって可能になる電圧供給は、電圧供給バス９を介して制御手段３および信号処理手段４の両方に入力される。後者はさらに、信号ディストリビュータ７を介して情報信号を受信し、そして、情報信号が到来すると、少なくとも１つの制御信号線または制御信号バス８を介して同様に、制御信号を受信する。従って、本発明による回路の基本原理は、入力５に到来した情報信号が、異なる使用に分配され入力されることである。一方で、その中に含まれるエネルギーの一部は、電圧供給に使用される。他方で、到来のインスタンスはまた、実際の評価ユニットの活性化および非活性化のための制御信号を可能にするために使用される。そして最終的に、情報信号は、実際の信号処理ユニットに入力され、そこで、例えば、単に強誘電性フリップフロップ内に格納されるか、または、電力が不足するかもしくは時間が経過した後の場合には、評価されてから格納されるかのいずれかである。信号処理手段４は、情報信号の多種多様の処理または評価を可能にし得る。典型的なアプリケーションは、例えば、非同期または同期の２進カウンタ、スイッチ可能な計算デバイスを有するカウンタ、上下入力を有するカウンタ、ＢＣＤカウンタ、プリセレクションカウンタ、およびシフトレジスタなどの多種多様のカウンタを含む。他の回路論理の構成もまた実現され得、その例として、同時に１つ以上の情報信号が到来し、その情報信号の間で論理の組み合わせが生成される構成があり、電力不足の場合においても、その結果は最終的に、強誘電性フリップフロップ内に格納され得る。
【００５０】
本発明による電子回路１を操作する前提条件は、入力６に到来する情報信号が、電子回路１にエネルギーを供給することが可能なように十分なエネルギー量を有することである。このようなエネルギーの量は、１０ｎＪ〜１００ｎＪの規模であり、例えば、誘電センサまたは圧電センサなどのアクティブコンバータによって供給される。このように十分なエネルギーが利用可能であるので、少なくとも実際の計算操作には、別の電圧供給はもはや必要でない。
【００５１】
図１は同様に信号出力を示し、この信号出力によって、情報が強誘電性フリップフロップ内に格納されるか、または、長期操作の場合、それぞれの場合において、強誘電性フリップフロップ内の論理ゲートに現に存在する情報が読み出され得る。最も簡単な場合、これは、出力６において外に経路指定される単一の信号線である。例えば、１または０の２進表示のみが強誘電性フリップフロップ内の情報として格納される場合、単に後者を読み出すことのみが満たされる。しかし、複数の強誘電性フリップフロップによって信号処理手段４内に複数のビット情報アイテムがバッファ記憶される場合、外に向けて複数の信号線を経路指定し、同時に外に向けて様々な強誘電性フリップフロップの出力を通過させるか、または、一時的なシーケンスにおいて、出力６を介して連続的に様々な強誘電性フリップフロップの個々のビットを出力し得る別の回路を提供するかのいずれかの必要があり得る。
【００５２】
図２は、本発明よる電子回路のさらなる例示的な実施形態の変更を示し、ここで、図１と比較して、例えば、ＬＣＤディスプレイ１１を有する表示手段１０も追加されている。図２に示される例示的な実施形態において、表示手段１０は同様に、電圧供給バス９によってエネルギーを供給され、信号処理手段の強誘電性フリップフロップ内に格納されている情報も同様に、表示手段１０に出力される。この場合、表示手段１０は、強誘電性フリップフロップの出力に直接接続され得るか、または、図２に示されるように、出力６においても情報を供給する同じ出力信号線によって付随的に供給されるかのいずれかである。
【００５３】
本発明による電子回路内、および本発明による方法の中で使用される強誘電性フリップフロップは、下記でより詳細に説明される。
【００５４】
図３は、強誘電体フリップフロップの模式図である。これは従来のフリップフロップにおいて公知のエレメント、とりわけ２つの論理ゲート、ここでは入力ＳＥＴおよびＲＥＳＥＴそれぞれを介して駆動され得るＮＯＲゲート１２、１３、ならびに内部データ線ＱＢｉｎｔ２２およびＱｉｎｔ２３を介してＮＯＲゲート１２、１３に接続され、出力ＱおよびＱＢを介して論理ゲートの反転結果を出力し得る２つのインバータ２０、２１を有する。しかしながら、この公知の構造に加えて、強誘電体フリップフロップは、さらなる特殊なエレメントを有する。これらは、まず、配線ＰＬに電圧を供給し得る特有の強誘電体キャパシタ１４、１５である。さらに、配線ＰＲＥＣＨを介して活性化され得、および配線ＶＰＲＥＣＨを介して電圧が供給され得るプレチャージトランジスタ１８、１９がある。さらなる静電容量１６、１７は任意に提供され得る。２つの回路のＮＯＲゲートは対称的に設計されているので、入力ＳＥＴおよびＲＥＳＥＴがこの時点で動作していない場合、スイッチオンにされた場合に生じる状態は、ネットワークＱｉｎｔ２３およびＱＢｉｎｔ２２への電荷に依存する。ネットワークＱｉｎｔ２３およびＱＢｉｎｔ２２への電荷は、論理ゲートがスイッチオンにされる前に強誘電体キャパシタ１４、１５から読み取られ、最終的にスイッチオフにされる前の最終のフリップフロップの状態に対応する。強誘電体キャパシタからの読み取りは、以下の簡単な説明に従って行われる。
【００５５】
第１に、内部データ線２２、２３は、プレチャージトランジスタ１８、１９および関連の制御信号ＰＲＥＣＨを介して、例えば、０ボルト等、特定の電圧ＶＰＲＥＣＨにプレチャージされる。これを達成するために、ＮＯＲゲートには、まだ動作電圧が供給されてはならない。その後、トランジスタ１８、１９は再びスイッチオフにされる。これによってネットワークＱｉｎｔ２３およびＱＢｉｎｔ２２は高インピーダンスになる。
【００５６】
これまでＶＰＲＥＣＨと同じ電位に保たれていた信号ＰＬは、特定の電圧にまで上げられる。強誘電体キャパシタおよびネットワークＱｉｎｔ２３およびＱＢｉｎｔ２２の静電容量１６、１７から製作される容量性分圧器によって電荷等化が起る。静電容量１６、１７は、コンポーネント入力静電容量または配線静電容量からのみなるか、または実際に実現された静電容量分がさらに増加され得る。この静電容量の値は、強誘電体フリップフロップの出力における回路依存しないということを確実にするために、内部データ線Ｑｉｎｔ２３およびＱＢｉｎｔ２２は、２つのインバータ２０、２１によって回路ＱおよびＱＢの実際の出力から切断される。しかしながら、強誘電体フリップフロップが使用されていることが公知のスイッチングメカニズムの場合、出力インバータは場合によっては省略され得る。強誘電体キャパシタの格納状態に依存して、内部データ線の１つ（Ｑｉｎｔ２３またはＱＢｉｎｔ２２）の電位は、電荷等化の後、別のデータ線の電位よりも大きい。そして入力ＰＬの電位は、相対的に高い電位に保たれるか、または再びＶＰＲＥＣＨにまで低減され得る。
【００５７】
そうして、ＮＯＲゲートの電圧供給はスイッチオンにされるので、内部データ線Ｑｉｎｔ２３およびＱＢｉｎｔ２２にどれだけの電圧が存在するかによって、フリップフロップは両方の考えられ得る状態の１つにラッチする。この場合重要なのは、ＮＯＲゲートの入力は、さらに引き続き動作しない、つまりＳＥＴおよびＲＥＳＥＴは論理ＬＯＷになければならないということである。この動作がスイッチオンおよびスイッチオフにされた後、強誘電体フリップフロップは、通常のフリップフロップように動作され得る。
【００５８】
図４は、本発明において使用ためのさらなる強誘電体フリップフロップを示し、このフリップフロップは、図３において示されたフリップフロップに対応するが、ＮＯＲゲート１２、１３の代りにＮＡＮＤゲート２４、２５を用いる。これに応じて、内部データ線は変えられる。
【００５９】
図５は、より具体的に構成されているが、依然として若干模式的な図において、図３で一般的に図示された、本発明と共に使用するための強誘電体フリップフロップのより具体的な実施形態を示す。２つのＮＯＲゲート１２、１３および２つのインバータ２０、２１は、ここでそれらのそれぞれ使用され得るトランジスタと共に示されている。
【００６０】
以下においては、図５に示される強誘電体フリップフロップがどのように動作準備されるのかが説明される。最初に、２つのプレチャージトランジスタ１８、１９が信号ＰＲＥＣＨを介して活性化される。その後、供給電圧ＶＤＤは、例えば３ボルト等、適切な値に上げられる。その後、プレチャージトランジスタ１８、１９は、スイッチが入れられ、入力ＰＬにおける電圧は、例えば、３ボルト等、ＶＤＤに対応する値に上昇されるので、２つの転送スイッチングトランジスタ３０、３１は活性化され、これは強誘電体キャパシタ１４、１５に含まれる情報が内部データ線２２、２３上に転送されることにつながる。この時点で、さらに、強誘電体キャパシタおよびインバータには電流が供給される。その後ようやく、信号ＮＳＥＴおよびＰＳＥＴが、例えば３ボルト等、用いられた電圧へ上げられることによって、２つのＮＯＲゲート１２、１３の供給電圧はスイッチオンにされ、これは、２つの論理スイッチトランジスタ３２、３３が活性化され、その後、ＶＤＤとＶＳＳとの間の電圧がトランジスタに存在することにつながる。
【００６１】
図５は、さらに、論理ゲート２８のためのトランジスタを示し、信号ＰＲＥＣＨにおいて電圧を印加される場合、論理ゲートは、ＮＯＲゲート１２、１３の正フォームの供給電圧を固定電位ＶＳＳへ引っ張る。
【００６２】
図５において示される強誘電体フリップフロップの非活性化は、逆の順序で起る。最初に、信号ＰＬが切断される。その後、ＮＯＲゲート１２、１３の供給電圧は、ＮＳＥＴをオフにすることによって切断される。その後、強誘電体キャパシタにおける干渉パルスを回避するために、ＰＲＥＣＨにおける信号によってプレチャージトランジスタ１８、１９が活性化される。最終的に、電圧供給自体が切断され、最後に、プレチャージトランジスタ１８、１９の信号ＰＲＥＣＨが切断される。
【００６３】
先に説明された強誘電体フリップフロップは、本発明による電子回路において、および、本発明の方法において多様に用いられ得る。以下において、具体的な応用が説明され、これによって複数のカスケード強誘電体フリップフロップを含むカウンタが実現される。しかしながら、本発明の範囲内で、例えば、複数の到達情報信号が特定の方法で相互に同時に組み合わされ得るような場合等、別の回路構成も実現され得るということは自明のことである。
【００６４】
図６は、第１に、強誘電体フリップフロップ２６には、図５に示されるように、それをエッジ制御フリップフロップにするための追加的な論理回路がどのように提供されかを示し、エッジ制御フリップフロップは同時に分割機能を満たし、すなわち、それぞれの情報信号の立下りエッジ上で、出力Ｑ、ＱＢの１つにおける状態を変更するということである。回路３４は、分割ユニットを表わすが、同時に当業者には公知のように、フリップフロップの特殊な例を示す。
【００６５】
それぞれ２つのＮＯＲゲート３５、３６および２つのＮＡＮＤゲート３７、３８は、情報信号のためのＣＬＫと表示される入力と接続されている。従って、表示ＣＬＫは、この場合、さらにクロック制御フリップフロップであることを示し、このフリップフロップの場合、この入力にクロック信号（ＣＬＯＣＫ）が付与され得る。図５からすでに公知の強誘電体フリップフロップ２６の２つの入力ＮＳＥＴおよびＰＳＥＴは、図６の回路構成においてインバータを介して集積されるので、両方の入力は、再びＮＳＥＴと表示される共通の入力信号によって駆動される。図６の回路構成において、さらなる入力ＥＮＡＢＬＥが提供され、この入力は、入力ＣＬＫに到達する情報信号がＮＯＲゲート３５、３６によって、強誘電体フリップフロップ２６の入力ＳＥＴおよびＲＥＳＥＴにそれぞれ転送されるように活性化されなければならない。
【００６６】
図７は最終的に、カウンタ構成におけるこの複数の分割装置３４の集積を示す。ここで知覚できるように、入力ＣＬＫを介して到達する情報信号は、分割回路のシーケンスにおける第１の分割回路３４にのみ供給される。強誘電体フリップフロップの出力Ｑは、次の強誘電体フリップフロップの入力ＣＬＫ、または継ぎの分割ユニット３４の入力ＣＬＫに伝達される。制御信号ＰＲＥＣＨ、ＰＬ、ＮＳＥＴおよび最終的には図６において加わったＥＮＡＢＬＥのための配線（ここでの入力はＣＬＫＥＮ）は図５および図６に対応する。
【００６７】
ＣＬＫに到達する情報信号のエッジと共に、第１のエッジ制御強誘電体フリップフロップ３４の状態はそれぞれ変化する。入力ＣＬＫにおいて、第１のエッジ制御強誘電体フリップフロップの出力Ｑからの信号を受け取る構成の第２のエッジ制御強誘電体フリップフロップ３４にも、同じことが起る。このことは、第２のエッジ制御強誘電体フリップフロップ３４における出力Ｑの状態は、１つおきの情報信号においてのみ変動するということを意味する。それゆえ、左エッジ制御強誘電体フリップフロップが最下位ビットを表わすカウント回路が実現され、最も離れた右に存在するエッジ制御強誘電体フリップフロップは、最上位ビットを表わす。カスケードフリップフロップの数は、この場合、到達情報信号の最大数を決定する。８つのカスケード強誘電体フリップフロップ３４の場合、例えば、１０進法の０と２５５との間（２進００００　００００〜１１１１　１１１１に対応）の範囲が示される。
【００６８】
図８のグラフを参照して、図７において示される回路によるカウンタ動作の時系列が明確にされる。グラフにおいて、連続して経過する２つの信号獲得サイクルが示される。図８は、時間的経過における回路の異なった入力および出力に存在する電圧の時間的経過を示す。横座標上には、時系列がｎｓで表わされており、様々な縦座標上には、信号のそれぞれ存在する電圧が表わされている。上下する構成は、相互の時系列の評価を可能にする。
【００６９】
上述のように、プレチャージトランジスタ１８、１９を活性化するために、はじめに、電圧が入力ＰＲＥＣＨに印加される。信号ＰＲＥＣＨは、制御手段３によって形成される。すぐその後に、動作電圧ＶＤＤがシステム全体に印加される。この電圧は、エネルギー手段２によって生成される。これは、図８Ｂにおいて図示されるように、ここで例示的に示される、それぞれの出力Ｑ０〜Ｑ２における３つの強誘電体フリップフロップ３４の場合、同様に電圧が存在するということになる。動作電圧ＶＤＤがスイッチオンにされたすぐその後で、入力ＰＲＥＣＨにおける電圧は切断される。
【００７０】
その後、制御手段３は、強誘電体フリップフロップの入力ＰＬにおける電圧を生成し、入力ＰＬは、転送スイッチトランジスタ３０、３１の非活性化のために、かつ、それによって強誘電体キャパシタ１４、１５において格納された情報を内部データ線２２、２３へ転送することにつながる。図８Ｂにおいて示されるように、この時点で３つの例示的に示された強誘電体フリップフロップの出力は、所定のレベル状態を提示し、強誘電体フリップフロップ２６において、まだ情報が格納されていないので、この場合は０である。次に、制御手段３は、入力ＮＳＥＴ（およびいくつかの実施形態においてはさらに入力ＰＳＥＴ）における電圧を生成し、これは論理スイッチトランジスタ３３（および場合によっては３２）を活性化することにつながるので、ＮＯＲゲート１２、１３の動作電圧、またはＮＡＮＤゲートを使用した場合にＮＡＮＤゲート２４、２５の動作電圧がスイッチオンにされる。
【００７１】
本発明による電子回路の本実験的用途においては、個別の到達情報信号は用いられない。むしろ、図８Ｂにおいて最下線が示すように、クロック信号が生成され、入力ＣＬＫに付与される。図７において使用される強誘電体フリップフロップまたは分割器３４（図６参照）は、さらなる入力、すなわち入力ＥＮＡＢＬＥを有し、この入力は、入力ＣＬＫにおいて存在する情報信号を強誘電体フリップフロップ２６の入力に転送することを可能にするために必要である。制御手段３が電圧を入力ＥＮＥＢＬＥに印加した後でのみ、（図８Ｂ参照、最下、実線の信号線）入力ＣＬＫに付与された情報信号の発生は、強誘電体フリップフロップまたは分割器３４の出力において反応を起こす。ＥＮＡＢＬＥ入力がスイッチオンにされた後に到達する最初の情報信号の立ち下がりエッジにより、カスケード強誘電体フリップフロップの第１のフリップフロップの出力において、出力信号をレベル０からレベル論理１に変える。２番目の到達情報信号の立ち下がりの後、レベルは再び論理０に変わり、その後、ダウンストリームに接続された強誘電体フリップフロップの出力において、レベルは論理１に進む。実験時間の経過において、本発明による電子回路の場合、最後の情報信号が入った後の特定の時間の経過の後、またはエネルギー不足に基づいて予測し得る電圧供給の低下が起こった場合、制御手段によって切断動作はどうなるかという切断動作のシミュレーションが行われる。
【００７２】
図示された実験の場合、クロック信号が入力ＣＬＫにおいてさらに存在するので、この立ち下がりのみがシミュレーションされる。
【００７３】
本発明による強誘電体フリップフロップを非活性化するために、第１にＥＮＥＢＬＥ信号およびＰＬ信号が切断される。その後、信号ＮＳＥＴが切られることによって、論理ゲートの電圧供給が切断される。これによって、３つの強誘電体フリップフロップに含まれる情報は、強誘電体キャパシタに正しく元どおりに書き込みされるに至る。そして、プレチャージトランジスタ１８、１９は一時的に活性化され、このプレチャージトランジスタは電圧供給全体を切断し、最後にプレチャージトランジスタを非活性化する。
【００７４】
続いて、実験において、１つのさらなる信号獲得サイクルが導入される。経過は、上述した電子回路の第１の活性化に対応する。しかしながら、図８Ｂにおいて示されるように、強誘電体キャパシタ１４、１５に格納された個々の強誘電体フリップフロップの情報は、論理ゲートへ元どおりに書き込みされるので、一連の強誘電体フリップフロップの第１および第２の強誘電体フリップフロップの出力における最後の切断の前の状態に応じて、論理１のレベルが確立される。それゆえ、３つの強誘電体フリップフロップによって表わされる情報は、２進値０１１、すなわち１０進値３に相当する。ＥＮＡＢＬＥ信号が再びスイッチオンにされた後、再び３つの情報信号がカウントされるので、この情報信号獲得位相の終わりに、３つの強誘電体フリップフロップが２進値１１０（１０進値６に相当）を含む。最終的に、図８においてさらなる非活性化シーケンスが示され、このシーケンスは再び、強誘電体フリップフロップ２６の出力において存在する情報が、それぞれの強誘電体キャパシタ１４、１５に転送されるという結果をもたらす。
【００７５】
図８において示された実験的信号獲得動作は、強誘電体フリップフロップにおいて含まれる情報をバッファ格納すること、および信号または電圧が再発生した場合に再確立することが、発明による電子回路を用いて実際に可能であることを示すことができた。
【図面の簡単な説明】
【図１】
図１は、本発明による電子回路の一実施形態の模式図を示す。
【図２】
図２は、表示ユニットが追加として提供される、本発明による電子回路のさらなる実施形態を示す。
【図３】
図３は、ＮＯＲゲートのみを有する下記の本発明において使用される強誘電性フリップフロップを示す。
【図４】
図４は、ＮＡＮＤゲートを有する本発明に使用され得るさらなる強誘電性フリップフロップを示す。
【図５】
図５は、本発明に使用される図３に示される強誘電性フリップフロップのより抽象的でない回路図を示す。
【図６】
図６は、別の論理ゲートによってエッジ制御（ｅｄｇｅ−ｃｏｎｔｒｏｌ）され、デバイダを形成する強誘電性フリップフロップを示す。
【図７】
図７は、図６に示されるエッジ制御されたフリップフロップを有するカウンタ回路を示す。
【図８Ａ】
図８Ａは、本発明による電子回路の場合の制御信号および電圧供給の例示的な一時的プログレッション（ｔｅｍｐｏｒａｌ　ｐｒｏｇｒｅｓｓｉｏｎ）を示す。
【図８Ｂ】
図８Ｂは、本発明による電子回路の場合の情報信号および電圧供給の例示的な一時的プログレッションを示す。
【図８Ａ】
2004501519.tif 000003
【図８Ｂ】
2004501519.tif 000004
【国際公開パンフレット】
2004501519.tif 000005
2004501519.tif 000006
2004501519.tif 000007
2004501519.tif 000008
2004501519.tif 000009
2004501519.tif 000010
2004501519.tif 000011
2004501519.tif 000012
2004501519.tif 000013
2004501519.tif 000014
2004501519.tif 000015
2004501519.tif 000016
2004501519.tif 000017
2004501519.tif 000018
2004501519.tif 000019
2004501519.tif 000020
2004501519.tif 000021
2004501519.tif 000022
2004501519.tif 000023
2004501519.tif 000024
2004501519.tif 000025
2004501519.tif 000026
2004501519.tif 000027
2004501519.tif 000028
2004501519.tif 000029
2004501519.tif 000030
2004501519.tif 000031
2004501519.tif 000032
2004501519.tif 000033
2004501519.tif 000034
2004501519.tif 000035
2004501519.tif 000036
2004501519.tif 000037
2004501519.tif 000038
2004501519.tif 000039
2004501519.tif 000040
2004501519.tif 000041
2004501519.tif 000042
2004501519.tif 000043
2004501519.tif 000044
2004501519.tif 000045
2004501519.tif 000046
2004501519.tif 000047
2004501519.tif 000048
2004501519.tif 000049
2004501519.tif 000050
2004501519.tif 000051
【国際調査報告】
2004501519.tif 000052
2004501519.tif 000053
2004501519.tif 000054
2004501519.tif 000055
2004501519.tif 000056
2004501519.tif 000057